(57)【要約】【課題】スノーケル内に水が浸入することを防ぐ水泳用スノーケルの防水カバーを提供する。【解決手段】水泳用スノーケルの防水カバーをスノーケルの頂部端へ設置または装置を設けることに係り、水がスノーケル１０の管体１２内へ浸入することを防止または減少させる。スノーケル端の開口部２４に装置を設け、該開口部２４へ動く蓋４１を設け、本体２１の開口部２４側にある装置内で蓋４１および浮動体５０が動く。水位が上昇すると、水の浮力を利用して浮動体５０は上昇し蓋４１が動き、該蓋４１は本体２１の開口部２４へ設けられている。【選択図】　　図３
0003097605.tif 000002
【実用新案登録請求の範囲】
【請求項１】
スノーケルの末端にある装置であって、
スノーケルが延伸する管の末端に開口部が縦向きに設けられ前記開口部へ閉鎖体が設けられた本体と、
碗状を呈し浮動体により前記開口部を閉める動作を制御する閉鎖体と、
を有し、
前記閉鎖体及び前記浮動体は、本体と結合した保護カバーの中で動くことを特徴とする水泳用スノーケルの防水カバー。
【請求項２】
前記閉鎖体は、開口部下側に動く中心軸が設けられていることを特徴とする請求項１記載の水泳用スノーケルの防水カバー。
【請求項３】
前記閉鎖体は、弧状に突起する背部を具有することを特徴とする請求項１記載の水泳用スノーケルの防水カバー。
【請求項４】
前記浮動体は、水よりも比重の小さいことを特徴とする請求項１記載の水泳用スノーケルの防水カバー。
【請求項５】
前記保護カバーは、その上方に水をさえぎる構造を具有することを特徴とする請求項１記載の水泳用スノーケルの防水カバー。
【請求項６】
前記保護カバーに数個の窓口が設けられていることを特徴とする請求項１記載の水泳用スノーケルの防水カバー。
【請求項７】
前記浮動体と閉鎖体の間に連接線が設けられていることを特徴とする請求項１記載の水泳用スノーケルの防水カバー。
【考案の詳細な説明】
【０００１】
【考案の属する技術分野】
本案は水泳、ダイビング、スノーケリング等で使用するスノーケルの端に設ける装置に係り、水がスノーケルの管体内の装置へ浸入することを防止する装置に関する。
【０００２】
【従来の技術】
公知におけるスノーケルの防水装置は、水がスノーケルの上方よりスノーケル内に浸入することを防止し、並びに空気を順調に浸入および排出させる。この他にはスノーケル内の水を吐き出せるように提供するものである。
スノーケルは水泳、ダイビング、スノーケリング等に使用するとき、水が流れ、飛散り、または使用者の頭部の揺れ、潜る等により、水はスノーケル内へ浸入し、通常スノーケルの上端開口部にカバーを設けて防護する。
カバーの設計が不当であると、吸気などにより不当にカバーが閉まり、空気が浸出する開口部などが誤作動する。
【０００３】
【考案が解決しようとする課題】
しかし上述のような公知のスノーケルのカバーまたは防水用装置と呼ばれているものの欠点として、理想とする下記の条件を満たしていない。
１．スノーケルに水が浸入することを防止し、空気の浸出等の基本的要求。
２．体積が大きすぎないこと。例えば大きすぎるとダイビング、水泳等の使用過程の中で大きな抵抗力となってしまう。
３．使用者が呼吸する時、誤動作が発生しないこと。例えば吸気時に空気が浸入する管道が不必要に閉じてしまう。
４．生産、組立てが容易であり、コストも低いこと。
市場で販売生産または特許申請中の案件の大多数は上記の要求を満たしていないものがある。
そこで、本考案は、水泳、ダイビング、スノーケリング等で使用するスノーケルの端に設ける装置に係り、水がスノーケルの管体内の装置へ浸入することを防止するカバーを提供することを課題とする。
【０００４】
【課題を解決するための手段】
上記課題を解決するために、本考案は一種のスノーケルの防水カバーを提供するものである。
本考案の水泳用スノーケルの防水カバーは下記の特徴を有する。
（１）スノーケルの末端にある装置であって、スノーケルが延伸する管の末端に開口部が縦向きに設けられ前記開口部へ閉鎖体が設けられた本体と、
碗状を呈し浮動体により前記開口部を閉める動作を制御する閉鎖体と、を有し、前記閉鎖体及び前記浮動体は、本体と結合した保護カバーの中で動くことを特徴とする。
（２）前記閉鎖体は、開口部下側に動く中心軸が設けられていることを特徴とする。
（３）前記閉鎖体は、弧状に突起する背部を具有することを特徴とする。
（４）前記浮動体は、水よりも比重の小さいことを特徴とする。
（５）前記保護カバーは、その上方に水をさえぎる構造を具有することを特徴とする。
（６）前記保護カバーに数個の窓口が設けられていることを特徴とする。
（７）前記浮動体と閉鎖体の間に連接線が設けられていることを特徴とする。
【０００５】
すなわち、本考案はスノーケルの管体上端にある装置に係り、水が上方より噴出して方々にはね、または下方より流れ出て、空気の浸出口より管体内へ浸入することを防止するものである。
本考案の装置は、スノーケルの上方端にあり、一本体を具有し、スノーケルの末端にある開口部は上へ向いて延伸しており、開口部の方向は改変して縦向き（使用するときの角度は下向きになる）を呈しており、開口部下側に動く閉鎖体を設け、該閉鎖体は開口部を閉め、開口部は閉められることにより漏水することがない。
【０００６】
閉鎖体の下方へ浮動体を設け、本体の開口部の側面に蓋を設け、浮動体および閉鎖体は蓋内に設けられる。
上記の浮動体は水位の上昇により上昇し、水位が上昇すると浮動体は、閉鎖体に接触して本体の開口部を閉め、水が開口部内へ浸入しないようにする。
【０００７】
水位が下降すると、浮動体は自身の重力で自然に下降し、即ち閉鎖体に接触せず、且つ自身の重力または引っ張る力により開口部を閉めない状態となる。
蓋装置は本体に設けられ、蓋の上方が閉じる（または噴出して方々にはねる水が開口部に向かってこない）構造となっている。
【０００８】
保護カバーの上方以下の側面や底面などに窓口を設け、水が容易に蓋の下側に浸入すると、浮動体は水位に敏感に反応し、閉鎖体に接触する動作をとる。
本案の閉鎖体の外観は碗状を呈し、微小孔および微突起の嵌合方式により動く構造となっており、浮動体による圧迫を受け、本体の開口部を緊密に閉じ、閉じている状態のとき、空気は開口部を通過することはできない。
【０００９】
開いている状態のとき、スノーケル内に空気を吸入する時、容易には閉鎖体を吸引することは出来ない。即ち吸気の動作が中断するような誤作動は容易に生じない。
本考案は、スノーケルの各方向よりスノーケル内に水が浸入することを防止する装置を提供し、波による水位の起伏によりスノーケル内に水が浸入することを防止する。
本考案の装置が水中に沈み、浮動体により閉鎖体に施す力は大きくなり、即ち開口部内へ水が浸入することを防止する水泳用スノーケルの防水カバーを提供することができる。
【００１０】
【考案の実施の形態】
図１に示すように、本考案の水泳用スノーケルの防水カバーは、スノーケル１０の上方の頂部２０にある装置に係り、スノーケル１０は管体１２およびマウスピース１４等により構成される。
【００１１】
図２、３に示すように、頂部２０は、主に本体２１により構成され、本体２１へ保護カバー３０が設けられ、本体２１内部に閉鎖体４０および浮動体５０が設けられている。
本体２１は、管体１２上方末端の配合管２２を含み、配合管２２は引っ掛け体２３等の類により緊密に管体１２へ接合され、配合管２２は防水の為に防水のゴムパッキン等が設けられる。本体２１は延伸する空洞の管となり、末端は開口部２４となり、該開口部２４は空気または水が管道２５を経由して浸出される。開口部２４と管道２５は９０°曲がった設計になっており、閉鎖体４０は開口部２４を閉鎖するか否かの制御をし、管道２５へ空気を流通するか否かとなる。
【００１２】
開口部２４の下側には一対の相対する微突起２６が設けられ、該微突起２６は閉鎖体４０と嵌合する。本体２１の側面に数個の突起ブロック２７を設け、保護カバー３０を本体２１へ嵌合する為の突起となる。
保護カバー３０は、孔３１と突起ブロック２７との嵌合方式により本体へ嵌合し、
保護カバー３０は、上半分に外殻３２、窓口Ａ３３、窓口Ｂ３４等により構成され、外殻３２は開口部２４を覆うので、水が容易に開口部２４内へ浸入しない。使用するとき、保護カバー３０内の閉鎖体４０、浮動体５０等は予め設けられた活動範囲以内で動く。
【００１３】
保護カバー３０は、上記の動きを前提とし、数個の窓口Ａ３３、窓口Ｂ３４等の通気口を設けられ、浮動体５０が浮かび上がらないと、空気は窓口Ａ３３、窓口Ｂ３４により開口部２４へ流通する。
水位が上昇すると、水は迅速に窓口Ａ３３、窓口Ｂ３４により保護カバー３０内へ浸入し、浮動体５０は敏感に反応して浮かび上がり、浮動体５０は閉鎖体４０を圧迫する。
閉鎖体４０は弁機能を具有する蓋４１となり、蓋４１の下側に一対の微突起２６に対応する孔４２が設けられている。
【００１４】
蓋４１は弧状に突起する背部４３が碗状を呈しており、孔４２と微突起２６が嵌合する軸は動く軸となり、閉鎖体４０は開口部２４を閉じるかまたは開ける。背部４３は浮動体５０の圧迫に伴って動く。
浮動体５０の比重は水よりも小さく、低密度の物質または中が空洞などである。浮動体５０は保護カバー３０内の下側に設けられ、その中で上下に動き、浮動体５０は水位の上昇により、蓋４１の背部４３に向かって上昇し、水位が下降すると浮動体５０は自身の重力で下降する。
【００１５】
浮動体５０の上方に連接線５１を設け、該連接線５１の別端は蓋４１へ固定し、連接線５１の長さは浮動体５０が上昇して蓋が開口部２４を閉め、浮動体５０が下降して開口部２４から離れるのに影響が出ず、開口部２４が開いた状態の長さである。即ち空気が開口部２４へ容易に浸出する。
スノーケル１０内の水を強い力で吐く動作をすると、水は開口部２４から出されると同時に外部の飛散る水が開口部２４へ容易に浸入することはない。
【００１６】
図５に示すように、浮動体５０が水位の上昇によって浮いた時、浮動体５０は予め設定した高さへ上昇して閉鎖体４０の背部４３へ接触し、閉鎖体４０は開口部２４を閉じ、頂部２０外の水は即ち開口部２４へ容易に浸入しない。
【００１７】
【考案の効果】
本案は一種のスノーケルの端にある頂部２０の装置を提供し、確実にスノーケル１０内の装置へ水が浸入することを防止する効果を達成する。
【図面の簡単な説明】
【図１】本考案における頂部の実施立体図である。
【図２】本考案における頂部の立体図である。
【図３】本考案における頂部の分解図である。
【図４】本考案における頂部の断面図（一）である。
【図５】本考案における頂部の断面図（二）である。
【符号の説明】
１０　　スノーケル
１２　　管体
１４　　マウスピース
２０　　頂部
２１　　本体
２２　　配合管
２３　　引っ掛け体
２４　　開口部
２５　　管道
２６　　微突起
２７　　突起ブロック
３０　　保護カバー
３１　　孔
３２　　外殻
３３　　窓口Ａ
３４　　窓口Ｂ
４０　　閉鎖体
４１　　蓋
４２　　孔
４３　　背部
５０　　浮動体
５１　　連接線
【図１】
0003097605.tif 000003
【図２】
0003097605.tif 000004
【図３】
0003097605.tif 000005
【図４】
0003097605.tif 000006
【図５】
0003097605.tif 000007